(57)【要約】【課題】簡単な構造で、製造容易であり、かつ十分な強度や耐荷重性及び耐変形性を示し、また、フォークリフトのフォークを挿入しやすい、取り扱い性に優れた紙製荷役用パレットを提供すること。【解決手段】本考案の紙製荷役用パレットは、ダンボールを含む積層紙製の天板部１０と、前記天板部１０の下面に第一のフォーク挿入方向Ａに対して直交方向に複数本配設された、その上端縁部が前記天板部１０の下面に接着された半円形の梁部材２０ａ〜２０ｄと、前記天板部１０の下面に前記梁部材２０ａ〜２０ｄに直交方向に嵌合するように配設されるとともに前記樋状の梁部材２０ａ〜２０ｄの表面及び前記天板部１０の下面に接着された少なくとも２本のダンボールを含む積層紙製の脚部材３０ａ〜３０ｄとを備えることを特徴とする。【選択図】図２
0003125740.tif 000002
【実用新案登録請求の範囲】
【請求項１】
ダンボールを含む積層紙製の天板部と、
前記天板部の下面に第一のフォーク挿入方向に対して直交方向に複数本配設された、その上端縁部が前記天板部の下面に接着された半円形の梁部材と、
前記天板部の下面に前記梁部材に直交方向に嵌合するように配設されるとともに前記梁部材の表面及び前記天板部の下面に接着された少なくとも２本のダンボールを含む積層紙製の脚部材と、
を備えることを特徴とする紙製荷役用パレット。
【請求項２】
前記半円形の梁部材は、円筒形の紙管を長さ方向に切断することによって作製された、その断面が中心角１８０度を超える円弧状となされていることを特徴とする請求項１に記載の紙製荷役用パレット。
【請求項３】
前記脚部材は、その下部に、前記第一のフォーク挿入方向に対して直交する第二のフォーク挿入方向に沿って形成されたフォーク挿入用凹部を備えていることを特徴とする請求項１に記載の紙製荷役用パレット。
【請求項４】
前記脚部材の前記フォーク挿入凹部及び前記フォーク挿入凹部を除く部分の少なくとも一方の下部には、Ｌ字型又はコの字型の補強手段が装着されていることを特徴とする請求項３に記載の紙製荷役用パレット。
【請求項５】
前記脚部材の下面にダンボールを含む積層紙製の底板が設けられていることを特徴とする請求項１〜４のいずれかに記載の紙製荷役用パレット。
【考案の詳細な説明】
【技術分野】
【０００１】
本考案は、荷役用のパレット、特に、積層ダンボールを含む紙製の荷役用パレットに関する。
【背景技術】
【０００２】
物品を輸送したり保管したりするため、荷役用のパレットが使用されている。普通、パレットは、物品を一定数量積載する面と、フォークリフトのフォークを差し込む差込み口を備えている。そして差込み口にフォークリフトのフォークを差し込み、パレットを持ち上げることによって積載面上に乗せられた物品を容易に運搬することができる。現在広く使用されている荷役用パレットは大部分が木製である。木製のパレットは、強度が高く、積み重ね等の圧力によく耐えるため、世界的に広く使用されている。また、木製のパレットの長所として、上に積載された物品が滑らないことや、補修が容易であることがあげられる。
【０００３】
従来から、プラスチック製のパレットも一部用途に使用されている。プラスチック製のパレットは、耐水性に優れ、衛生的であるという利点がある。更に、プラスチック製のパレットは、その上に積載される物品を損傷する危険が少ない上、自由に着色することができ、形も自在に変更できるため、プラスチック製パレットはある意味では利用価値が高い。
【０００４】
しかし、木製及びプラスチック製のパレットは下記のような問題点がある。すなわち、木製のパレットは、上述したように一般に強度が優れているが、パレットの原材料となる良質な木材の確保が困難になってきている。木材の価格も安定しておらず、上昇傾向にある。更に、木製のパレットを使用する場合には、害虫対策を講じる必要もある。
【０００５】
また、プラスチック製のパレットは、上述したような利点があるにしても、非常に高価であること、積載した物品が滑りやすいこと、補修が容易でないこと、更に、プラスチック製のパレットが破損した場合、プラスチックを廃棄物として適切に処理しなければならないため、木製のパレットを処分する場合に比べて環境負荷が大きくなることなどの問題があるため、実際にはあまり使用されていない。むしろ、プラスチック製パレットそのものに換えてプラスチック製シートパレット（単なるシート状のプラスチック）が、高さがないために船積みやトラック輸送に有利なため、使用され出している。しかし、このプラスチック製シートパレットは、単なるシート状であるため、移動時に荷崩れを起こし、商品が損傷するトラブルが発生している。
【０００６】
上記のような木製パレットの問題点を解決するものとして、紙製のパレットも知られている。紙製のパレットは一般的にはダンボールを主原料としている。ダンボール製のパレットは、軽量で、ある程度の耐荷重性があり、安価に製作でき、更に、木材のようにささくれができないので安全でもある。そのため、ダンボール製のパレットは近年では広く用いられてきている。このようなダンボール製のパレットのほとんどは、平板上の天板部と、その両端に配設され、天板部を所定の高さに支持する側板又は脚部材とを備えており、天板部と側板又は脚部材とにより天板部下方にフォークリフトのフォークを挿入するスペースが形成されている。
【０００７】
しかしながら、ダンボール製パレットは耐荷重性に限界がある。例えば、天板部の両端部分間に平均して荷重がかかっている場合には天板部はその荷重に耐えることができるが、天板部の中央部分に大きな荷重が加わった場合には、天板部がたわみ、荷重に耐えることができないことがある。更に、天板部は、天板部に対して荷重が斜め方向に加わった場合、その荷重に十分耐えることができないこともある。
【０００８】
ダンボール製のパレットに関わるこれらの問題点を解消し、耐荷重性を向上させるため、種々の改良されたダンボール製のパレットの開発が進められている。例えば、下記特許文献１には、ダンボール構造体のシートからなる荷受け板のフォーク差込み方向に平行な少なくとも左右両端部をチャンネル形に折り曲げることにより座脚を形成し、この座脚に直交して少なくとも前後１対の帯状補強板を両座脚の基端に貫通して荷受け板の下面に接合させ、且つ補強板と座脚の底部との間に筒状又は柱状の支柱を補強用に介在させたダンボール製の荷役用パレットが開示されている。このダンボール製の荷役用パレットにおいては、補強板と座脚の底部との間に配設される筒状又は柱状の支柱はダンボール原紙が周囲に巻かれていた紙管を短く切断して用いられている。
【０００９】
このダンボール製のパレットは、座脚がリブの働きをしているために、前後方向に対して曲がり難い。また、座脚の部分は凹部になっているが、そこに補強板が渡されているため、荷物をその部分で受けることができる。補強板に掛かった荷重は座脚内に設置された筒状又は柱状の支柱によって受けられる。筒状の支柱は、鉛直方向の圧縮強度が極めて大きいため、大きい荷重を安定して受けることができる。これによって、座脚及び荷受け板の形状が崩れることを防止できる。またフォークリフトのフォークでこのパレットを持ち上げた際には、フォークは直接補強板を持ち上げるため、荷受け板が左右方向に対して曲がらない。
【００１０】
また、下記特許文献２には、複数の横梁部材と、上記横梁部材を横切るようにパレット上面近傍に組立てられ延在する多数のデッキ部材とを備えたパレット組立て体であって、横梁部材の底部にネック部を形成し、そのネック部に中空、管状の補強片を、横梁部材としっかりと、かつきつく噛み合うように挿入したパレット組立て体が開示されており、このパレット組立体によれば、補強片の側壁部分が横梁部材の外側表面に沿って延在するため、横梁部材は横方向に支持され、パレットに横方向に加わる荷重に対して大きな安定性を示す。
【００１１】
しかしながら、下記特許文献１に開示されているダンボール製のパレットは、構造が複雑で、補強板を針釘やワイヤーによって打設する必要があった。また、上記特許文献２に開示されているパレットは、ダンボールの波形と平行に折り曲げた場合やねじり応力に弱く、また梁部材とデッキ部材との嵌合によってもたわみを防止することができない。更に、補強片の取付けによって構造が複雑化しているという問題点も存在している。
【００１２】
更に、下記特許文献３には、ダンボールの波形に直交して切断又は折り畳んだ複数の細幅ダンボールを積層した角部材を使用したダンボール製パレットが開示されている。このパレットにおいては、上記複数の角部材を直交するように嵌め合わせて組み立てたものを基台としているため、いずれの方向へのたわみに対する剛性も十分となる。更に、上記パレットは、Ｌ字型のフラップによって角部材と天板部とを一体に接着することによって、角部材と天板部との接着面積を増大させ、更に天板部全面に渡って平均した受圧面を提供することができるという効果を奏するものである。
【００１３】
【特許文献１】実公昭６２−３６７４１号公報（第２頁、第４欄、２２行目〜４２行目）
【特許文献２】特開平４−２１５９４３号公報（請求項１、段落［００１３］）
【特許文献３】特開平６−２３９３４５号公報（段落［００１４］）
【考案の開示】
【考案が解決しようとする課題】
【００１４】
しかしながら、上記特許文献３に開示された発明においては、紙製のパレットに十分の強度を発揮させるために、ダンボールの波形に直交して切断又は折り畳んだ複数の細幅ダンボールを積層した角部材を使用し、この複数の角部材を直交するように嵌め合わせて組み立てたものを基台としているために、構造が複雑であり、製造に困難性を伴う。
【００１５】
したがって、本考案の目的は、半円筒形状の紙管を用いることによって、より簡単な構造であってかつ容易に製造することができ、しかも、十分な強度や耐荷重性及び耐変形性を示す紙製荷役用パレットを提供することである。本考案の更なる目的は、フォークリフトのフォークを挿入しやすい、取り扱い性に優れた紙製荷役用パレットを提供することである。
【課題を解決するための手段】
【００１６】
上記課題を解決するために、本考案に係る紙製荷役用パレットは、
ダンボールを含む積層紙製の天板部と、
前記天板部の下面に第一のフォーク挿入方向に対して直交方向に複数本配設された、その上端縁部が前記天板部の下面に接着された半円形の梁部材と、
前記天板部の下面に前記梁部材に直交方向に嵌合するように配設されるとともに前記梁部材の表面及び前記天板部の下面に接着された少なくとも２本のダンボールを含む積層紙製の脚部材と、
を備えることを特徴とする。
【００１７】
また、本考案は、上記紙製荷役用パレットにおいて、前記半円形の梁部材は、円筒形の紙管を長さ方向に切断することによって作製された、その断面が中心角１８０度を超える円弧状となされていることを特徴とする。
【００１８】
また、本考案は、上記紙製荷役用パレットにおいて、前記脚部材は、その下部に、前記第一のフォーク挿入方向に対して直交する第二のフォーク挿入方向に沿って形成されたフォーク挿入用凹部を備えていることを特徴とする。
【００１９】
また、本考案は、上記紙製荷役用パレットにおいて、前記脚部材の前記フォーク挿入凹部及び前記フォーク挿入凹部を除く部分の少なくとも一方の下部には、Ｌ字型又はコの字型の補強手段が装着されていることを特徴とする。
【００２０】
また、本考案は、上記紙製荷役用パレットにおいて、前記脚部材の下面にダンボールを含む積層紙製の底板が設けられていることを特徴とする。
【考案の効果】
【００２１】
本考案は、上記のような構成を備えることにより、以下に述べるような優れた効果を奏する。すなわち、本考案の紙製荷役用パレットによれば、天板部と脚部材とをダンボールを含む積層紙で形成したので、パレットの鉛直方向に加わる力に対して十分な強度を発揮させることができる。そして、天板部下面に脚部材と直交方向に向かって半円形の梁部材が渡されているので、パレットの水平方向に対して加わる荷重は半円形の梁部材を伝わって天板部全面に分散されるから、パレットの水平方向に対して加わる荷重に対しても十分な強度を発揮させることができる。
【００２２】
また、半円形の梁部材がフォークリフトのフォークの挿入方向に対して直交方向に配設されているため、フォークリフトのフォークをパレットに挿入する際に、フォークが半円形の梁部材に接触した場合でも、円筒形の側面に接触するために、角形の部材に比べて抵抗や摩擦が少なくなり、フォークのパレットへの挿入が容易になる。
【００２３】
また、本考案の紙製荷役用パレットによれば、梁部材が半円筒形であるために、天板部に加わる荷重に対して十分な強度を発揮させることができるとともに、パレットの水平方向に対して加わる荷重を半円形の梁部材を伝わらせて天板部全面に分散させることができる。更に、半円形の梁部材を工場などで製造された円筒形の積層紙管を縦に切断することによって容易に製造することが可能になる。
【００２４】
また、本考案の紙製荷役用パレットによれば、天板部下面に配設される梁部材の断面を中心角１８０℃以上として円形に近づけることによって紙管の強度を更に増すことができる。これにより、パレットの耐荷重性を更に増すことができ、パレットに更に大きな荷重を加えることができるようになる。
【００２５】
また、本考案の紙製荷役用パレットによれば、脚部材にフォーク挿入凹部を設けたので、フォークリフトのフォークをパレットのどの向きからでも挿入することができるようになる。
【００２６】
また、本考案の紙製荷役用パレットによれば、脚部材に形成された凹部や他の部分に補強部材を取付けたので、パレットが床面に置かれた際や、フォークが挿入された際に、床面やフォークとの接触や摩擦によって生じうる脚部材の損傷を防止することが可能になる。
【００２７】
また、本考案の紙製荷役用パレットによれば、脚部材の下面にダンボールを含む底板を取付けたので、パレットに加わる荷重を、脚部材を通して底板に吸収させ、より大きな荷重やたわみに耐えることができる。
【考案を実施するための最良の形態】
【００２８】
以下、図面を参照しながら本考案の具体例を詳細に説明する。なお、以下に示す実施例は、本考案の技術思想を具体化するための紙製荷役用パレットを例示するものであって、本考案をこの紙製荷役用パレットに特定することを意図するものではなく、実用新案登録請求の範囲に含まれるその他の実施形態の紙製荷役用パレットにも等しく適用し得るものである。
【実施例１】
【００２９】
図１は実施例１の紙製荷役用パレットを、底板を外した状態で上方から見たときの外観斜視図である。図２は本考案の紙製荷役用パレットを、底板を外した状態で下方から見たときの外観斜視図である。図３は図１、図２に示した紙製荷役用パレットの分解斜視図である。
【００３０】
本実施例の紙製荷役用パレット１は、天板部１０、複数の半円紙管２０、複数の脚部材３０、底板４０を備える。天板部１０は、複数枚のダンボールシートを、そのフルート部分（波形構造部分）が互いに直交方向又は異なる方向を向くようにして積層した積層ダンボール構造からなる平板である。天板部１０に使用されるダンボールシートは、フルート（波形構造部分）の両側をライナー（平板部分）で挟んで構成されたＢフルート（厚さ約３ｍｍ）、Ｃフルート（厚さ約４ｍｍ）、或いは２枚のライナーの間にフルートを３層にして形成したＢＣフルート（厚さ約７ｍｍ）である。そして天板部１０は、これらのダンボールシートを、１〜５層に積層し、接着剤によって貼合わせて構成される。なお、このダンボールシートの枚数は、パレットに要求される耐荷重の大きさによって適宜決定される。
【００３１】
また天板部１０は、四角形で、荷役用パレットの天板の規格に従った所定寸法の形状と大きさを有する。例えば、天板部１０の寸法は、長さ２０２ｍｍ〜１５００ｍｍ、幅２０２ｍｍ〜１３００ｍｍである。更に天板部１０は、平面状の上面１１と平面状の下面１２を備える。天板部１０の上面には、このパレットによって保管・運搬されるべき種々の物品が積載される。
【００３２】
天板部１０の下面１２には、樋状の梁部材である複数の半円紙管２０がフォークリフトの第一のフォーク挿入方向Ａに対して直交する向きに平行に配設される。なお、図１〜図３では、４本の半円紙管２０ａ〜２０ｅが配設されている。半円紙管２０は、中空の半円筒形で、円筒面状の外面２２、円筒面状の内面２３、半円筒の上端縁部２１を備える。上端縁部２１は天板部１０の下面１２に対して平行である。半円紙管２０の長さは、天板部１０の幅（フォークリフトのフォークの挿入方向に対して直交方向）とほぼ同じか若干短くされる。
【００３３】
この半円紙管は、ダンボール工場等においてダンボール原紙をその周囲に巻いていた紙管を、縦方向に切断して半円筒形状にしたものを使用する。これによって、廃物として処理されていた紙管を有効活用することができる。半円紙管２０は、円筒面状の内面２３が上側になるようにして、天板部１０の下面１２に取付けられる。つまり、半円紙管２０は、内面２３を天板部１０の下面１２に相対させた状態で、その上端縁部２１を天板部１０の下面に接着剤を使用して貼付け固定される。この半円紙管２０は、２インチ（５０ｍｍ）〜３．５インチ（８９ｍｍ）紙管、好ましくは３インチ（７６ｍｍ）紙管を長さ方向に沿って半分に切断したものが使用される。
【００３４】
更に、脚部材３０が半円紙管２０と直交方向に嵌め合うように配設される。脚部材３０は、少なくとも２本必要である。また、脚部材３０は、２〜４本、場合によってはそれ以上設けられる。これらの本数は、パレットに要求される耐荷重の大きさによって決定される。
【００３５】
図１〜図３では、４本の脚部材３０ａ〜３０ｄが半円紙管２０と組合わせて接続されている。２本の側部脚部材３０ａ、３０ｄ（以下、側部脚部材という）は、組合わせた際に天板部１０の側端部に位置するように配置される。他の２本の脚部材３０ｂ、３０ｃ（以下、中間脚部材という）ははじめの２本の側部脚部材３０ａ、３０ｄの間に配置される。中間脚部材３０ｂ、３０ｃはフォークリフトのフォークがそれらの外側に挿入されるように間隔を隔てて配置される。これにより、１本の側部脚部材３０ａとそれに隣接した１本の中間脚部材３０ｂとの間にフォークリフトのフォークを挿入するフォーク挿入スペース５０が形成され、同様に、他の１本の側部脚部材３０ｄとそれに隣接した１本の中間脚部材３０ｃとの間にもう一つのフォーク挿入スペース５０が形成される。
【００３６】
それぞれの脚部材３０は複数枚のダンボールシートをそのフルート部分（波形構造）が同一の方向を向くようにして積層した積層ダンボールから構成される。例えば、それぞれの脚部材３０は、Ｂフルート、Ｃフルート、ＢＣフルートのダンボールシートを、５枚、１０枚、１５枚積層させ、接着剤によって貼合わせることによって形成される。脚部材３０の高さは、１３３ｍｍ〜１５６ｍｍ、好ましくは１５０ｍｍである。なお、この高さは、パレットに要求される強度、及び天板部１０の下面１２に取付けられる半円紙管２０の大きさによって決定される。
【００３７】
中間脚部材３０ｂ、３０ｃは上面３１と下面３２を有する。上面３１と下面３２は両方ともダンボールシートの端面が重なることによって形成された平坦な断面を呈しており、上面３１は天板部１０に対して平行に相対し、下面３２は底板４０に対して平行に相対する。上面３１には、積層構造を半円紙管２０の長さ方向に沿って一方の側から反対側へ貫通するように、半円形の嵌合凹部３３が形成される。嵌合凹部３３の内面は、半円筒面状の曲面３４である。
【００３８】
側部脚部材３０ａ、３０ｄは、中間脚部材３０ｂ、３０ｃと同様、上面３１と下面３２を有する。上面３１と下面３２は両方ともダンボールの端面が積層されて形成された平面状の断面をなしており、上面３１は天板部１０に対して平行に相対し、下面３２は底板４０に対して平行に相対する。側部脚部材３０ａ、３０ｄの上面３１側には隣接する中間脚部材３０ｂ、３０ｃに面した側から反対側に向けてダンボールの積層構造を部分的に除去した半円形の嵌合凹部３５が形成される。本実施例の場合、嵌合凹部３５は隣接する中間脚部材３０ｂ、３０ｃに面した側から積層ダンボール構造を構成している複数枚のダンボールシートのうち２枚分だけ凹部を設けることによって形成される。この嵌合凹部３５は半円筒状の曲面３６と除去されなかった積層ダンボール構造による平板状の側面３７よりなる。
【００３９】
脚部材３０の下面３２には底板４０が貼付け固定される。底板４０は天板部１０と同一の形状また寸法である。また、底板４０は、天板部１０と同じく、複数枚のダンボールシートをそのフルート部分（波形構造部分）が互いに直交方向又は異なる方向を向くようにして積層した積層ダンボール構造からなる平板である。底板４０は上面４１と下面４２を有する。上面４１は脚部材３０の下面３２に接着剤などで貼付け固定される。底板４０の上面４１は、脚部材３０及び半円紙管２０を間に介在させて天板部１０の下面１２と所定の高さだけ離して相対し、間にフォークリフトのフォークを挿入するフォーク挿入スペース５０を形成する。下面４２は地面等に置かれ、パレット１に加わるすべての荷重を支持する。上記の構造のパレットの寸法は、一般に長さ２０２ｍｍ〜１５００ｍｍ、幅２０２ｍｍ〜１３００ｍｍ、高さ１４０ｍｍ〜１６３ｍｍである。
【００４０】
底板４０はパレットの基本構造として必ずしも必要ないが、底板４０を設けることによって脚部材３０に加わる荷重を底板全体に分散させることができる。これによって、パレットに加わるより大きな荷重やひずみを底板４０によって吸収することができ、パレットの変形を防止することができる。
【００４１】
次に、本考案の紙製荷役用パレット１の組立てについて説明する。まず、複数枚のダンボール平板（ダンボールシート）をそのフルート部分（波形構造）が互いに直交方向又は異なる方向を向くようにして積層させて貼付け加工した積層ダンボール構造を形成する。積層されるダンボール平板の枚数や厚さはパレットに要求される強度によって決定される。次いで、積層ダンボール構造の平板を所定寸法に裁断し、天板部１０と、底板４０が形成される。
【００４２】
更に、天板部１０、底板４０とは別に形成された積層ダンボール構造の平板を細長く切断することによって所定本数の脚部材３０が形成される。脚部材３０に形成される嵌合凹部３３、３５は積層ダンボール構造の平板から脚部材３０を形成した後に形成する。或いは、先に円形の穴を形成したダンボールシートを積層させて複数の穴や凹部を備えた積層ダンボール構造の平板を形成し、それを所定寸法に切断することによって形成してもよい。
【００４３】
次いで、所定寸法に切断した半円紙管２０を脚部材３０に直交するように嵌め合わせ固定する。この際、それぞれの半円紙管２０ａ〜２０ｄの中央部分が中間脚部材３０ｂ、３０ｃの嵌合凹部３３に嵌合され、半円紙管の円筒面状の外面２２が嵌合凹部３３の半円筒面状の曲面３４に密接される。また、それぞれの半円紙管２０ａ〜２０ｄ両端部分は側部脚部材３０ａ、３０ｄの嵌合凹部３５に嵌合され、半円紙管の円筒面状の外面２２が嵌合凹部３５の半円筒面状の曲面３６に密接される。更に、半円紙管の両端面２４は嵌合凹部３５の側面３７に密接、固定される。このとき、半円紙管２０の上端縁部２１と脚部材３０の上面３１とは同一平面内にあるようにされる。
【００４４】
上記のようにして組立てられた半円紙管２０と脚部材３０との組立て体は、次に、天板部１０に貼付け固定される。このとき、半円紙管２０の上端縁部２１、及び脚部材３０の上面３１は天板部１０の下面１２に固着される。特に、側部脚部材３０ａ、３０ｄは天板部１０の下面１２の側端部分に位置合わせされる。また中間脚部材３０ｂ、３０ｃは天板部１０の下面１２の中央部分に位置するようにされる。半円紙管２０と脚部材３０が天板部１０に固定されることによって、天板部１０の上面１１に積載物品によって加わる荷重を半円紙管２０及び脚部材３０によって受けることができるようになる。
【００４５】
半円紙管２０と脚部材３０とを天板部１０に固定すると、天板部１０の下面１２、一方の側部脚部材３０ａ、側部脚部材３０ａに隣接する中間脚部材３０ｂによって、フォークリフトのフォークの一本が挿入されるフォーク挿入スペース５０が形成される。同様に、天板部１０の下面１２、もう一方の側部脚部材３０ｄ、側部脚部材３０ｄに隣接する中間脚部材３０ｃによって、フォークリフトのフォークの他の一本が挿入されるフォーク挿入スペース５０が形成される。
【００４６】
その後、半円紙管２０、脚部材３０、及び天板部１０で構成される組立て体に底板４０を取付け固定する。このとき、側部脚部材３０ａ、３０ｄの下面３２を底板４０の上面４１の側端部に位置合わせして固着し、中間脚部材３０ｂ、３０ｃの下面３２を底板４０の上面４１の中央部分に固着する。天板部１０、及び半円紙管２０は、脚部材３０によって、底板４０から所定の高さに位置する。天板部１０及び半円紙管２０と底板４０の間にはフォークリフトのフォークを挿入するフォーク挿入スペース５０が形成される。
【００４７】
上述したように、この底板４０の組立ては必ずしも必要ではなく、天板部１０、半円紙管２０、脚部材３０のみによってパレットを構成することも可能である。底板４０は必要に応じてパレットに取付けられる。底板４０がある場合には、天板部１０から半円紙管２０、脚部材３０を介してパレットの各部に加わる荷重を、底板４０によって更に平均して分散することができるようになり、これによって、パレットはより大きな荷重、またたわみに耐えることが可能になる。
【００４８】
また、上記のようにしてつくられた紙製荷役用パレット１の天板部１０の上面１１、側部脚部材３０ａ、３０ｄの外側の側面に沿って薄いシート状の表板を貼り付けることによって強度を高めてもよい。
【００４９】
フォーク挿入スペース５０は、脚部材３０の高さと半円紙管２０の高さを適切に調節することによってフォークリフトのフォークが挿入できる大きさを有する。このフォーク挿入スペース５０にフォークが挿入される際に、半円紙管２０の下方にフォークが挿入されるのがもっとも望ましいが、必ずしもそうなるとは限らない。しかし、第一のフォーク挿入方向Ａに対して直交方向に半円紙管２０が配設されているため、フォークが半円紙管２０に接触した場合でも、フォークは半円紙管２０の円筒面状の外面に接触するので、摩擦や抵抗が少なく、フォークを挿入することが容易になる。
【００５０】
なお、上記実施例では、脚部材３０と組合わせられる半円紙管２０は、略半円筒形のものを用いたが、半円筒形よりも更に大きな円弧を有する全円紙管に近い紙管を用いることもできる。紙管が全円紙管に近づけば近づくほど紙管の耐曲げ強度が高くなるので、紙管を全円紙管に近づけた際には、このパレットは、半円紙管の場合よりも更に大きな耐荷重性、及び耐たわみ性を示すようにすることができる。
【００５１】
実施例１の紙製パレットの強度、操作性（フォークリフト等による操作時）、価格、環境負荷及び総合特性についての評価を、従来例の木製パレット、市販のダンボール製パレット、プラスチックパレット及びプラスチックシートパレットの評価と対比した結果を下記表１に示した。なお、下記表１に示した結果は、Ａを最良とし、Ｅを最も劣るものとし、Ａ〜Ｅの５段階評価を行ったものであり、一部Ｂ評価とＣ評価の間と判断されたものについては「Ｃ'」を付与してある。また、プラスチックシートパレットは、フォークリフトによる操作を期待されているものではないので、操作性及び総合特性については評価せず、表１においては「−」で表してある。
【００５２】
【表１】
0003125740.tif 000003
【実施例２】
【００５３】
図４は、実施例１の紙製荷役用パレット１の変形例である実施例２の紙製荷役用パレット１'を示す図である。実施例２の紙製荷役用パレット１'は、半円紙管２０の本数と、脚部材３０の下部の形状が図１〜図３における紙製荷役用パレットと異なり、図１〜３の底板４０がないほかは実質的に同じなので、同一の部材には同一の参照符号を付与するとともにその詳細な説明は省略する。
【００５４】
天板部１０の下面１２には、２本の半円紙管２０ａ、２０ｄが第一のフォーク挿入方向Ａに対して直交する向きに平行に配設される。図４において、一方の半円紙管２０ａは、第一のフォーク挿入方向Ａに対して手前の端部（前端部）に沿って配置される。もう一方の半円紙管２０ｄは、後ろ側の端部に沿って配置される。
【００５５】
また、上述したように、脚部材３０が半円紙管２０と直交方向に嵌め合うように配設される。これら脚部材３０の下部には、フォーク挿入凹部６１が設けられる。フォーク挿入凹部６１は、それぞれの脚部材３０の両端部分と中央部分以外の部分において、下面から上方へ向けて部分的に脚部材を除去することによって形成される。フォーク挿入凹部６１によって、脚部材３０には、両端の突出部６２ａ、６２ｃ、中央の突出部６２ｂが形成される。
【００５６】
上記のフォーク挿入凹部６１は、それぞれの脚部材３０が天板部１０に取付けられた際に、第一のフォーク挿入方向Ａに対して直交する第二のフォーク挿入方向Ｃに沿って略一直線に並ぶように位置を合わせて形成される。これによって、フォークリフトのフォークを第二のフォーク挿入方向Ｃの向きにパレット１の挿入した際に、フォークが脚部材３０に設けられたフォーク挿入凹部６１の下に挿入することができるようになり、フォークによって脚部材３０のフォーク挿入凹部６１の下面を持ち上げることによってパレット１を運搬することが可能になる。
【００５７】
上記の紙製荷役用パレット１'の構造によって、フォークリフトのフォークを、第一のフォーク挿入方向Ａからでも、第二のフォーク挿入方向Ｃからでもパレットに挿入することができるようになり、パレットの扱い易さを向上させることができる。なお、フォークリフトのフォークは第一のフォーク挿入方向Ａ及び第二のフォーク挿入方向Ｃの正反対の向きにパレットに挿入することも勿論可能である。
【００５８】
また、脚部材３０には下記に説明する補強部材７０が取付けられる。脚部材３０の両端の突出部６２ａ、６２ｃ、中央の突出部６２ｂにはそれぞれＬ字型の補強部材７１ａ、７１ｂを向き合わせたものが装着される。これらのＬ字型の補強部材７１ａ、７１ｂは基本的に同一の形状をしており、脚部材３０の突出部６２ａ〜６２ｃの側面と下面に沿って接着剤により貼付け固定される。これによって、この紙製荷役用パレットが直接床面に置かれた際に、突出部６２ａ〜６２ｃが床面に接触することによって生じうる損傷から突出部６２ａ〜６２ｃを保護することが可能となり、紙製荷役用パレット１'の強化に資することができる。
【００５９】
また、フォーク挿入凹部６１にはコの字型の補強部材７２が接着剤によって装着される。この補強部材もフォーク挿入凹部６１の表面を覆うように取付けられる。これによって、フォークリフトのフォークがフォーク挿入凹部６１に挿入されてフォーク挿入凹部６１を下から持ち上げる際に、フォークがフォーク挿入凹部６１に接触することによって生じうる損傷からフォーク挿入凹部６１を保護することができる。
【００６０】
なお、補強部材として、Ｌ字型の補強部材７１ａ、７１ｂをフォーク挿入凹部６１に装着してもよいし、コの字型の補強部材７２を突出部６２ａ〜６２ｃに装着してもよい。更に、補強部材としては、上述した形状の他、突出部６２ａ〜６２ｃ及びフォーク挿入凹部６１に取付けられ、これらを保護できるカバー状のものであれば、適宜使用することができる。
【００６１】
なお、Ｌ字型の補強部材７１ａ、７１ｂ、コの字型の補強部材７２は、厚紙、例えば、厚さ５ｍｍのチップボールを使用する。
【００６２】
また、天板部１０、半円紙管２０、脚部材３０、底板４０、及び補強部材７０をそれぞれ貼付け固定する接着剤としては合成ゴムラテックスが使用される。合成ゴムラテックスは、耐水性に比較的優れているため、本考案の紙製荷役用パレットの組立てに好適である。
【産業上の利用可能性】
【００６３】
本考案において脚部材３０と組合わせて使用される半円紙管２０は、ダンボール工場などでダンボールの原紙を巻きつけている紙管を半分に切断したものを使用することができる。これにより、無駄になっている紙管を効果的に利用することができる。
【図面の簡単な説明】
【００６４】
【図１】実施例１の紙製荷役用パレットを、底板を外した状態で上方から見たときの外観斜視図である。
【図２】実施例１の紙製荷役用パレットを、底板を外した状態で下方から見たときの外観斜視図である。
【図３】図１、図２に示した紙製荷役用パレットの分解斜視図である。
【図４】実施例２の紙製荷役用パレットを示す図である。
【符号の説明】
【００６５】
．
１、１'          紙製荷役用パレット
１０              天板部
２０              半円紙管（樋状の梁部材）
３０              脚部材
３０              脚部材
３０ａ、３０ｄ    側部脚部材
３０ｂ、３０ｃ    中間脚部材
４０              底板
５０              フォーク挿入スペース
６１              フォーク挿入凹部
７０              補強部材
Ａ、Ｃ            フォーク挿入方向
【図１】
0003125740.tif 000004
【図２】
0003125740.tif 000005
【図３】
0003125740.tif 000006
【図４】
0003125740.tif 000007